(57)【要約】【課題】  パイプが位置ずれを起こすことなく、確個に締結、保持できると共に、安全性に優れた足場用クランプ装置を提供する。【解決手段】  両端にパイプ包接片８、９をそれぞれ有する固定クランプ材２、４と可動クランプ材３、５および可動クランプ材を固定クランプ材に対して締結するボルト６、ナット７を各備えた少なくとも２個のクランプを、それぞれのパイプ包接面８ａ、９ａの軸線が互いに直交するように枢着してなる足場用クランプ装置において、各クランプにおける固定クランプ材２、４両端に設けられたパイプ包接片８、９端縁の包接面８ａ、９ａに滑り止め１１を設けて構成されている。【選択図】          図１
2005133457.tif 000002
【特許請求の範囲】
【請求項１】
両端にパイプ包接片をそれぞれ有する固定クランプ材と可動クランプ材および可動クランプ材を固定クランプ材に対して締結するボルト、ナットを各備えた少なくとも２個のクランプを、それぞれのパイプ包接面の軸線が互いに直交するように枢着してなる足場用クランプ装置において、各クランプにおける固定クランプ材両端に設けられたパイプ包接片端縁の包接面に滑り止めを設けてなることを特徴とする足場用クランプ装置。
【請求項２】
両端にパイプ包接片をそれぞれ有する固定クランプ材と可動クランプ材および可動クランプ材を固定クランプ材に対して締結するボルト、ナットを各備えた２個の短尺クランプと１個の長尺クランプを、それぞれのパイプ包接面の三つの軸線が互いに三方向へ直交するように枢着してなる三方向の足場用クランプ装置において、
前記長尺クランプにおける固定クランプ材両端に設けられたパイプ包接片端縁の包接面に滑り止めを設け、かつ両パイプ包接片間に、端縁をパイプの包接面となした補強用リブを設けると共に、該包接面にも滑り止めを設けてなることを特徴とする三方向の足場用クランプ装置。
【発明の詳細な説明】
【技術分野】
【０００１】
本発明は、直交する複数本の足場用パイプを締結、保持する足場用クランプ装置に関する。
【背景技術】
【０００２】
例えば、従来、互いに三方向に直交する３本の足場用パイプを締結、保持する足場用クランプ装置としては、図４および図５に示したようにパイプ把持用の固定クランプ材１０１、可動クランプ材１０２および可動クランプ材１０２を固定クランプ材１０１に対して締結するボルト１０３、ナット１０４を各備えた３個のクランプＡ、Ｂ、Ｃを、それぞれのパイプ包接片１０５、１０６、１０７の各包接面１０５ａ、１０６ａ、１０７ａの三つの軸線が互いに三方向へ直交するように配設してなるものが知られている。
【特許文献１】登録第３０３４０４０号公報
【発明の開示】
【発明が解決しようとする課題】
【０００３】
しかしながら、このような従来の足場用クランプ装置では、各クランプＡ、Ｂ、Ｃの固定クランプ材におけるパイプ包接片１０５、１０６、１０７の各包接面１０５ａ、１０６ａ、１０７ａが金属材料にて平滑に形成されているため、パイプに対する保持力が弱く、当該パイプが回動したり、あるいはスライドする等、パイプを確固に固定に締結、保持し得ない欠陥があった。
【０００４】
これは、２個のクランプからなる二方向のクランプ装置も同様であるが、とくに既述した３個のクランプＡ、Ｂ、Ｃからなる三方向のクランプ装置では、その設計上、１個のクランプＣが、他の２個のクランプＡ、Ｂと比べて、少なくとも約２倍の長さの長尺に形成されているため、両端に設けられた二つのパイプ包接片１０８のパイプ包接部１０８ａのみによってパイプを包接しただけでは、当該部分のパイプ保持力がとくに弱く、より一層パイプを確固に締結、保持し得ない欠陥があった。また、長尺なクランプＣは、他の短尺なクランプＡ、Ｂと比べて強度が弱く、安全性に問題があった。
【０００５】
本発明は、このような従来技術の有する欠陥を解消するもので、パイプが位置ずれを起こすことなく、確個に締結、保持できると共に、安全性に優れた足場用クランプ装置を提供することを目的とする。
【課題を解決するための手段】
【０００６】
上記目的を達成するため、請求項１の発明に係る足場用クランプ装置は、両端にパイプ包接片をそれぞれ有する固定クランプ材と可動クランプ材および可動クランプ材を固定クランプ材に対して締結するボルト、ナットを各備えた少なくとも２個のクランプを、それぞれのパイプ包接面の軸線が互いに直交するように枢着してなる足場用クランプ装置において、各クランプにおける固定クランプ材両端に設けられたパイプ包接片端縁の包接面に滑り止めを設けてなることを特徴とする。
【０００７】
請求項２の発明に係る足場用クランプ装置は、両端にパイプ包接片をそれぞれ有する固定クランプ材と可動クランプ材および可動クランプ材を固定クランプ材に対して締結するボルト、ナットを各備えた２個の短尺クランプと１個の長尺クランプを、それぞれのパイプ包接面の三つの軸線が互いに三方向へ直交するように枢着してなる三方向の足場用クランプ装置において、
前記長尺クランプにおける固定クランプ材両端に設けられたパイプ包接片端縁の包接面に滑り止めを設け、かつ両パイプ包接片間に、端縁をパイプの包接面となした補強用リブを設けると共に、該包接面にも滑り止めを設けてなることを特徴とする。
【発明の効果】
【０００８】
本発明の請求項１の足場用クランプ装置によれば、二方向あるいは三方向等を問わず、直交する複数本の足場用パイプを締結、保持する各クランプにおいて、固定クランプ材両端に設けられたパイプ包接片端縁の包接面に滑り止めを設けたので、いったん当該クランプにてパイプを締結、保持すると、軸廻り方向へ回動したり、あるいは軸方向へスライドすることなく、パイプを強固に固定することができる。
【０００９】
また、本発明の請求項２の足場用クランプ装置によれば、長尺なクランプ両端のパイプ包接片間に、補強用リブを設けると共に、前記各パイプ包接片および補助用リブ端面の包接面全てにパイプの滑り止めを設けたので、いったん当該クランプにてパイプを締結、保持すると、軸廻り方向へ回動したり、あるいは軸方向へスライドすることなく、パイプを確固に固定することができ、かつ外力に対する強度が向上し、安全性がきわめて高くなる効果がある。
【発明を実施するための最良の形態】
【００１０】
以下、本発明を実施するための最良の形態について図面を参照して詳細に説明する。
図１〜図３は、本発明の一実施形態の三方向の足場用クランプ装置を示し、金属金具からなる３個のクランプＡ、Ｂ、Ｃを備えている。
そのうち、クランプＡ、Ｂは、パイプ１把持用の短尺の固定クランプ材２、短尺の可動クランプ材３および同可動クランプ材３を同固定クランプ材２に対して締結するボルト６、ナット７を備えており、軸方向の長さが短尺、例えば、約５０ｍｍに形成されている。
【００１１】
一方、クランプＣは、パイプ１把持用の長尺の固定クランプ材４、長尺の可動クランプ材５および同可動クランプ材５を同固定クランプ材４に対して締結するボルト６、ナット７を備えており、軸方向の長さが長尺、例えばクランプＡ、Ｂの２倍の約１００ｍｍに形成されている。
【００１２】
それぞれのクランプＡ、Ｂ、Ｃにおける固定クランプ材２、２、４の両端には、端縁を円弧状のパイプ包接面８ａ、８ａ、９ａとなしたパイプ包接片８、８、９が、各クランプ材の両端を内側へ直角に折り曲げることによって形成されている。
【００１３】
一方、長尺のクランプＣにおける固定クランプ材４のパイプ包接片９間には補強用リブ１０が設けられている。この補強用リブ１０の端縁にも円弧状のパイプ方接面１０ａが形成されている。補強用リブ１０の数は一枚でも、図示の如く二枚でも、あるいはそれ以上あってもよい。
【００１４】
而して、長尺の固定クランプ材４におけるパイプ包接片９端縁のパイプ包接面９ａおよび補強用リブ１０端縁のパイプ包接面１０ａには、ともに、パイプ１の滑り止め１１が設けられている。滑り止め１１の構造としては、細かい凹凸部、例えば多数のローレット溝、小突起、突条等によって形成することができる。
【００１５】
クランプＡ、Ｂ、Ｃともに、固定クランプ材２、２、４の一端にピン１２によって可動クランプ材３、３、５の一端が回動自在にそれぞれ枢支されている。また、固定クランプ材２、２、４の他端中央にピン１３によって、先端にナット７を螺合したボルト６の基端が回動自在にそれぞれ枢支されている。さらに、可動クランプ材３、５の他端中央にボルト６嵌着用の凹部１４がそれぞれ設けられている。
【００１６】
而して、長尺のクランプＣの固定クランプ材４外側の両端面に、２個の短尺のクランプＡ、Ｂの固定クランプ材２、２を、各包接面８ａ、９ａ、１０ａの軸線が互いに三方向へ直交するようにそれぞれ枢着してある。これにより、三方向に直交する三本のパイプ１、１、１を３個のクランプＡ、Ｂ、Ｃの各包接面８ａ、９ａ、１０ａにて把持しても、三本のパイプ１、１、１が互いに干渉しないように設定されると共に、長尺なクランプＣの各包接面９ａ、１０ａに把持されたパイプ１は、滑り止め１１によって軸廻り方向への回動、軸方向へのスライドが規制される。
【００１７】
以上は、３個のクランプＡ、Ｂ、Ｃを備えた三方向の足場用クランプ装置の一実施形態を説明するものであるが、本発明は、２個のクランプＡ、Ｂを備えた二方向の足場用クランプ装置にも適用できることは既述のとおりである。この場合、短尺なクランプな故、補強用リブは不用であり、固定クランプ材２におけるパイプ包接片８、８にのみ滑り止め１１が設けられている。
【図面の簡単な説明】
【００１８】
【図１】本発明に係る三方向の足場用クランプ装置の使用状態を示す斜視図である。
【図２】図１のＡ矢視図である。
【図３】図２のＡ−Ａ断面図である。
【図４】従来品の説明図である。
【図５】従来品の説明図である。
【符号の説明】
【００１９】
Ａ、Ｂ      短尺クランプ
Ｃ          長尺クランプ
１          パイプ
２          短尺の固定クランプ材
３          短尺の可動クランプ材
４          長尺の固定クランプ材
５          長尺の可動クランプ材
６          ボルト
７          ナット
８、９      パイプ包接片
８ａ、９ａ  パイプ包接面
１０        補強用リブ
１０ａ      パイプ包接面
１１        滑り止め
【図１】
2005133457.tif 000003
【図２】
2005133457.tif 000004
【図３】
2005133457.tif 000005
【図４】
2005133457.tif 000006
【図５】
2005133457.tif 000007